(57)【要約】      （修正有）【課題】カメラの設定情報を記録媒体に記憶したり、記憶したカメラの設定情報を記録媒体から読み出しカメラに設定することが可能なカメラを提供する。【解決手段】記録されたカメラ設定情報を読み込んだとき、すぐにカメラにセットしないで、表示部に読み込んだカメラ設定情報を表示させ、設定するかどうか決定してから設定し、使用者が意図しない設定はされない。また項目毎に設定するかどうか決定させれば、設定選択操作が少なく済む。カメラ設定情報を記録する時はそのまま記憶しないで表示部に表示させ、設定値として記憶するかどうかを決定してから記憶させ、使用者が記憶したくない情報まで設定値として記憶しなくて済む。更に項目毎に設定値として記憶するかどうか決定させ設定値記憶選択操作を少なくする。【選択図】図１
2006033344.tif 000002
【特許請求の範囲】
【請求項１】
カメラの設定情報や画像を表示する表示部（ＴＦＴ等）を持ち、更にカメラの設定情報を記録媒体に記憶したり、記憶したカメラの設定情報を記録媒体から読み出しカメラに設定可能なカメラ装置において、記録媒体に記録してあるカメラ設定情報をカメラに読み込んだときは、表示部に読み込んだカメラの設定情報を表示し、カメラに設定するかどうかを決定してから、カメラに設定することを特徴とするカメラ。
【請求項２】
カメラの設定情報や画像を表示する表示部（ＴＦＴ等）を持ち、更にカメラの設定情報を記録媒体に記憶したり、記憶したカメラの設定情報を記録媒体から読み出しカメラに設定可能なカメラ装置で、カメラの設定情報は、複数の設定項目に分かれているカメラ設定装置において、記録媒体に記録してあるカメラ設定情報をカメラに読み込んだときは、表示部に読み込んだカメラの設定情報を設定項目毎に表示し、設定項目毎に設定するかどうかを決定して、カメラに設定することを特徴とするカメラ。
【請求項３】
読み込んだカメラ設定情報を表示部に表示するときは、現在カメラに設定されている情報と違う個所は、表示部の色を変えて表示することを特徴とする請求項１又は２記載のカメラ。
【請求項４】
読み込んだカメラ設定情報を表示部に表示し、読み込んだ設定内容を確認又は、修正してから設定するかどうかを決定して、カメラに設定することを特徴とする請求項１、２又は請求項３いずれかに記載のカメラ。
【請求項５】
カメラの設定情報や画像を表示する表示部（ＴＦＴ等）を持ち、更にカメラの設定情報を記録媒体に記憶したり、記憶したカメラの設定情報を記録媒体から読み出しカメラに設定可能なカメラ装置において、カメラ設定情報を記録媒体に記録するときは、表示部に記録するカメラの設定情報を表示し、設定値として記録するかどうかを決定してから、カメラの設定情報を記録媒体に記録することを特徴としたカメラ。
【請求項６】
カメラの設定情報や画像を表示する表示部（ＴＦＴ等）を持ち、更にカメラの設定情報を記録媒体に記憶したり、記憶したカメラの設定情報を記録媒体から読み出しカメラに設定可能なカメラ装置で、カメラの設定情報は、複数の設定項目に分かれているカメラ設定装置において、カメラ設定情報を記録媒体に記録するときは、表示部に記録するカメラの設定情報を設定項目毎に表示し、設定項目毎に設定値として記録するかどうかを決定して、カメラの設定情報を記録媒体に記録することを特徴とするカメラ。
【請求項７】
カメラ設定情報を記録媒体に記録する為に、カメラ設定情報を表示部に表示したとき、設定内容を確認又は、修正して記録媒体に設定値として記録するかどうかを決定して、カメラに設定することを特徴とする請求項５又は請求項６記載のカメラ。
【発明の詳細な説明】
【技術分野】
【０００１】
本発明は、カメラの設定情報を記録媒体に記憶したり、記憶したカメラの設定情報を記録媒体から読み出しカメラに設定することが可能なカメラ装置に関する。
【背景技術】
【０００２】
従来のカメラ設定は、カメラの各種設定（撮影設定、再生画像設定、カスタム設定等）をカメラ使用者がすきなときに、記録媒体に記録し、記憶したカメラ設定をすきなときに、読み込んでカメラに再設定できるようになっている為、撮影条件が変わってカメラ設定条件を変えても後で元の設定に戻ることができるし、別のカメラにカメラ設定を記憶した記録媒体を接続して読み込むと、カメラ設定を瞬時に、切り替えることが可能である。
【特許文献１】特開平５−８３６０６号公報
【特許文献２】特開２０００−３１６１０９号公報
【非特許文献１】「ＥＯＳ−１Ｄ  ＭａｒｋII  使用説明書」  キヤノン株式会社、２００４年、ｐ．１５７
【発明の開示】
【発明が解決しようとする課題】
【０００３】
従来は、記録媒体に記憶するカメラ設定（撮影系設定データ、再生系設定データ、セットアップ系設定データ、カスタム系設定データ等）は決められているので、その記憶したカメラ設定を別のカメラに設定すると一変にいろいろなカメラの設定が変更されてしまう。近年、カメラ設定内容が複雑化している為、このように、多くのカメラ設定が一変に設定されてしまうと、使用者が認識していないカメラ設定までされてしまう可能性が有り、それにより、使用者の意図しない撮影となってしまうことがある。
【０００４】
本発明は、以上の点に着目して成されたもので、カメラの設定情報を記録媒体に記憶したり、記憶したカメラの設定情報を記録媒体から読み出しカメラに設定することが可能なカメラを提供することを目的とする。
【課題を解決するための手段】
【０００５】
第一の手段は、カメラの設定情報や画像を表示する表示部（ＴＦＴ等）を持ち、更にカメラの設定情報を記録媒体に記憶したり、記憶したカメラの設定情報を記録媒体から読み出しカメラに設定可能なカメラ装置において、記録媒体に記録してあるカメラ設定情報をカメラに読み込んだときは、表示部に読み込んだカメラの設定情報を表示し、カメラに設定するかどうかを決定してから、カメラに設定することを特徴としたカメラ。
【０００６】
第二の手段は、カメラの設定情報や画像を表示する表示部（ＴＦＴ等）を持ち、更にカメラの設定情報を記録媒体に記憶したり、記憶したカメラの設定情報を記録媒体から読み出しカメラに設定可能なカメラ装置で、カメラの設定情報は、複数の設定項目に分かれているカメラ設定装置において、記録媒体に記録してあるカメラ設定情報をカメラに読み込んだときは、表示部に読み込んだカメラの設定情報を設定項目毎に表示し、設定項目毎に設定するかどうかを決定して、カメラに設定することを特徴としたカメラ。
【０００７】
第三の手段は、読み込んだカメラ設定情報を表示部に表示するときは、現在カメラに設定されている情報と違う個所は、表示部の色を変えて表示することを特徴とした第一の手段又は、第二の手段のカメラ。
第四の手段は、読み込んだカメラ設定情報を表示部に表示し、読み込んだ設定内容を確認又は、修正してから設定するかどうかを決定して、カメラに設定することを特徴とした第一の手段又は、第二の手段又は第三の手段のカメラ。
【０００８】
第五の手段は、カメラの設定情報や画像を表示する表示部（ＴＦＴ等）を持ち、更にカメラの設定情報を記録媒体に記憶したり、記憶したカメラの設定情報を記録媒体から読み出しカメラに設定可能なカメラ装置において、カメラ設定情報を記録媒体に記録するときは、表示部に記録するカメラの設定情報を表示し、設定値として記録するかどうかを決定してから、カメラの設定情報を記録媒体に記録することを特徴としたカメラ。
【０００９】
第六の手段は、カメラの設定情報や画像を表示する表示部（ＴＦＴ等）を持ち、更にカメラの設定情報を記録媒体に記憶したり、記憶したカメラの設定情報を記録媒体から読み出しカメラに設定可能なカメラ装置で、カメラの設定情報は、複数の設定項目に分かれているカメラ設定装置において、カメラ設定情報を記録媒体に記録するときは、表示部に記録するカメラの設定情報を設定項目毎に表示し、設定項目毎に設定値として記録するかどうかを決定して、カメラの設定情報を記録媒体に記録することを特徴としたカメラ。
【００１０】
第七の手段は、カメラ設定情報を記録媒体に記録する為に、カメラ設定情報を表示部に表示したとき、設定内容を確認又は、修正して記録媒体に設定値として記録するかどうかを決定して、カメラに設定することを特徴とした第五の手段又は、第六の手段のカメラ設定。
【発明の効果】
【００１１】
第一の発明は、記録されたカメラ設定情報を読み込んだとき、すぐにカメラにセットしないで、表示部に読み込んだカメラ設定情報を表示させ、設定情報毎に設定するかどうか決定してからカメラに設定するようにしたので、使用者が意図しない設定まで設定されてしまうことがない。
【００１２】
第二の発明は、第一の発明に対して、項目毎に設定するかどうか決定するので、設定選択操作が少なく済む。
【００１３】
第三の発明は、カメラ設定情報を記録するときは、カメラ設定情報をそのまま記憶しないで、表示部に設定するカメラ設定情報を表示させ、設定情報毎に設定値として記憶するかどうかを決定してから、カメラ設定情報を記憶するので、使用者が設定値として記憶したくない情報まで、設定値として記憶しなくて良くなる。
【００１４】
第四の発明は、第三の発明に対して、項目毎に設定値として記憶するかどうか決定するので、設定値記憶選択操作が少なく済む。
【発明を実施するための最良の形態】
【００１５】
以下本発明を実施するための最良の形態を、実施例により詳しく説明する。
【実施例１】
【００１６】
本発明の実施例を図１から図２２を使って、詳細に説明する。図１及び図２は、本発明の代表図でカメラ設定の保存時のＴＦＴ表示（図１）とカメラ設定の読み込み時のＴＦＴ表示（図２）で、後で詳細に説明する。図３は、カメラの概略構成ブロック図である。
【００１７】
図３において、１はシステム制御部であり、後述する撮像部制御回路、メモリ制御部、モータ制御回路、シャッター制御回路、測光回路、焦点検出回路、液晶表示部、画像表示部、操作部と通信を行いシステム全体の制御を行っている。
【００１８】
２は撮像部であり、撮像素子（ＣＣＤ等）等の撮像に関するモジュール群である。
【００１９】
３は撮像部制御回路であり、撮像素子（ＣＣＤ等）の駆動等の制御を行う。
【００２０】
４は一時記憶領域である前バッファメモリである。
【００２１】
５は２で撮影された画像データとその画像情報をもとに画像処理を行う画像処理部である。７は処理された画像を蓄積する後バッファメモリである。
【００２２】
６は前バッファメモリ４と後バッファメモリ７とハードディスク９を制御するメモリ制御部である。
【００２３】
８は画像処理後の画像データを後バッファメモリからハードディスク９に記憶させるためのインターフェース（Ｉ／Ｆ）である。
【００２４】
９は画像データを記憶するハードディスクである。
【００２５】
１０は不図示のミラーやシャッターをチャージ等する為のモータを駆動するモータ制御回路である。
【００２６】
１１はシステム制御部からの信号に従って、不図示のシャッターの先幕やシャッターの後幕を走行させ、撮像素子に被写体からの光を露光させる為のシャッター制御回路である。
【００２７】
１２は不図示の測光センサーからの出力をシステム制御部に出力する為の測光回路である。
【００２８】
１３は不図示のフォーカス検出用センサーを蓄積制御、読み出し制御を行って、フォーカスの画像情報をシステム制御部に出力する。システム制御部は、周知の位相差検出方法により焦点検出を行い、脱着可能なレンズ内部にある１７のレンズ制御回路と通信を行いレンズの駆動をし、焦点調節を行う。
【００２９】
１４はカメラのシャッター秒時、絞り値、ＩＳＯ値、ＩＳＯブラケットのステップ値等の設定表示等やカメラの各種情報を表示する液晶表示部で、図４の表示パネル１や図５の表示パネル２を制御している。
【００３０】
１５はカメラの複数の設定（撮影系、再生系、セットアップ系、カスタム系）をさせるために、設定値を表示したり、撮影された画像を表示する為の図５のＴＦＴを制御している。
【００３１】
１６は図４及び図５で表記している各種ボタンやスイッチ、ダイヤルの検出をしている操作部である。ダイヤルは位相差検出タイプで回転数と回転方向が判る仕組みとなっている。
【００３２】
また、図４のシャッターボタンも操作部に接続されているが、このシャッターボタンは２段階のストロークスイッチとなっていて、カメラの動作では、この第一ストローク（測光／ＡＦ開始ＳＷ）で測光とＡＦを開始し、第二ストローク（撮影操作ＳＷ）で撮影動作を開始する。
【００３３】
１７は不図示の脱着可能なレンズ内部にあるレンズ制御回路で、カメラ内部であるシステム制御部からの指示にしたがい、レンズ内部の焦点調節や絞り駆動を行う。
【００３４】
図４及び、図５は、カメラの上面図と背面図であり、後述する動作フロー説明で使われる操作釦や表示の配置を示した構成図である。
【００３５】
図６は、カメラの動作フローを表したフローチャートであり、カメラの動作フローを説明する。
【００３６】
図６のＳ００１において、カメラはレジスタの初期化やデータの初期化、及び周辺回路の初期化等の初期設定を行う。
【００３７】
Ｓ００２において、図２及び、図３に示す設定ボタンや撮影操作ボタン、メイン電子ダイヤル、サブ電子ダイヤル等の状態検出を行う。
【００３８】
Ｓ００３において、ＭＥＮＵ等の設定ボタンが操作されていれば、Ｓ００４に移行しカメラの各種設定を行う設定モードへ移行し、オフならばＳ００５へ移行する。
【００３９】
Ｓ００５において、測光／ＡＦ開始ＳＷがオフならば、Ｓ０１３へ移行しカメラの動作を終了させるために、周辺回路への電源オフの指示やデータの退避等の終了設定を行い、動作を終了する。
【００４０】
Ｓ００６において、シャッター秒時（ＣＣＤ蓄積時間）、絞り値等を決定するための測光演算処理を行う。
【００４１】
Ｓ００７において、被写体に焦点を合わせる為に、周知の位相差検出方式による測距動作を行う。
【００４２】
Ｓ００８において、前記測距動作によるデータをもとに、レンズを駆動する。
【００４３】
Ｓ００９において、測光演算等により求められたシャッター秒時、絞り値等、カメラの情報を表示部により、表示する。
【００４４】
Ｓ０１０において、撮影操作ＳＷがオンならば、Ｓ０１１へ移行し、周知であるＣＣＤのゲイン設定、ＣＣＤ蓄積動作、ＣＣＤ読み出し、画像処理、画像書き込み等、撮影動作を行う。
【００４５】
Ｓ０１２において、測光／ＡＦ開始ＳＷがオンならばＳ００２へ戻り、そうでなければ、Ｓ０１３へ移行する。
【００４６】
Ｓ０１３において、カメラの動作を終了させるために、周辺回路への電源オフの指示やデータの退避等の終了設定を行い、動作を終了する。
【００４７】
カメラ設定の保存と読み込みは、Ｓ００４の設定モードで行われる。
【００４８】
カメラ設定の保存と読み込みを図１，７〜１３，１９〜２２で説明する。
【００４９】
ＭＥＮＵ釦が操作されると図７のように、ＴＦＴ表示部にカメラの設定表示が表示される。ここでは、図７の上側（ラインの上側で、撮影：再生：セットアップ：カスタム）が設定項目で、それより下側（ラインの下側）が項目の詳細設定内容となっています。図７では、項目として「撮影」が選択されていて、撮影系の詳細設定内容が、ラインより下側に表示されています。
【００５０】
ＭＥＮＵ釦を押しながら、サブ電子ダイヤルを回転すると設定項目を選択でき、「セットアップ」の箇所でＭＥＮＵ釦を離すと、図８のような表示となる。
【００５１】
次に、ＳＥＬＥＣＴ釦を押しながらサブ電子ダイヤルを回転させるとセットアップ系の詳細設定内容（オートパワーオフ：日付／時刻：ＣＦカード初期化：ファームウェア：言語：カメラ設定の保存：カメラ設定の読み込み）を選択でき、「カメラ設定の保存」でＳＥＬＥＣＴ釦を離すと図９の表示となる。
【００５２】
図９は、カメラ設定保存を各設定毎で保存するか「分割保存」、設定すべてを一括で保存するか「一括保存」を選択する画面である。ここで、ＳＥＬＥＣＴ釦を押しながら、サブ電子ダイヤルを回転させると「一括保存」か「分割保存」を選択でき、「一括保存」でＳＥＬＥＣＴ釦を離すと図１０の画面に移行する。
【００５３】
図１０の「一括保存」の保存画面では、ＳＥＬＥＣＴ釦を押しながら、サブ電子ダイヤルを回転させると本当に一括設定保存するのか「ＯＫ」、「キャンセル」するのかを選択できる。「ＯＫ」を選択するとカメラの各設定値がすべて記録媒体に記録される。
【００５４】
図９で、「分割保存」を選択すると図１の分割保存の画面に移行する。
【００５５】
ここで、図１の画面を詳細に説明する。
【００５６】
画面の中央付近（「保存」と「撮影モード」）に、ラインが横に引かれているが、これは、設定項目（撮影系の設定／再生系の設定／セットアップ系の設定／カスタム系の設定）＋「保存」と設定項目の詳細設定情報（詳細設定項目＋設定データ）とを区別するラインとなっている。
【００５７】
図１の様に、「撮影系の設定」が選択されている場合、詳細設定情報の表示は、撮影系の詳細設定項目（撮影モード／測光モード／ＡＦモード／撮影画像の確認／撮影画像の確認時間）とその設定項目に対する設定データ（例えば、Ｐ／評価測光／ＯＮＥＳＨＯＴ／入／２秒）が表示される。
【００５８】
図１の設定項目の横に、○で示されているのは、この設定項目をカメラ設定として保存することを示している。
【００５９】
「保存」は、カメラ設定の保存項目であり、この項目を選択すると図の○で選択された項目や後述する詳細設定データに○で選択された詳細設定項目を保存する。
図１で、ＳＥＬＥＣＴ釦を押しながら、サブ電子ダイヤルを回転させると項目（撮影系の設定／再生系の設定／セットアップ系の設定／カスタム系の設定／保存）が選択できる。
【００６０】
「撮影系の設定」でＳＥＬＥＣＴ釦を離すと図１１の画面に移行する。
【００６１】
図１１では、「撮影系の設定」をカメラ設定として保存するか「○」カメラ設定として保存しないか「×」を選択することができ。これまでの操作と同様に、ＳＥＬＥＣＴ釦を押しながら、サブ電子ダイヤルの回転で選択して、ＳＥＬＥＣＴ釦を離すことで項目を選択する。
【００６２】
また、どの設定画面でもそうだが、ＭＥＮＵ釦を押すことで、一つ前の画面に戻ることが可能である。
【００６３】
図１で、アシスト釦を押して離すと図１２へ移行する。但し、図１で、「撮影系の設定」がカメラ設定として保存しない場合「×」は、この操作は受け付けない。（図１２へ移行できない）これは、図１２が詳細設定項目なので、この設定項目が保存されないならば、詳細設定項目も保存しないようにしている為である。これにより、設定項目というグループ別で、簡単にカメラ設定として保存しないを選択できる。
【００６４】
図１２は、「撮影系の設定」の各設定データを夫々カメラ設定として、保存するかどうか選択する画面である。ここで、ＳＥＬＥＣＴ釦を押しながら、サブ電子ダイヤルを回転させると撮影系の詳細設定項目（撮影モード／測光モード／ＡＦモード／撮影画像の確認／撮影画像の確認時間）が選択でき、「撮影モード  Ｐ」でＳＥＬＥＣＴ釦を離すと図１３の画面に移行する。
【００６５】
図１３で、ＳＥＬＥＣＴ釦を押しながら、サブ電子ダイヤルを回転させると「撮影モード  Ｐ」（カメラの撮影モードが、プログラムを意味する）をカメラ設定として保存するか「○」保存しないか「×」を選択でき、ＳＥＬＥＣＴ釦を離すことで確定する。
【００６６】
各設定項目の保存を上記操作で行った後で、図１において、「保存」を選択すると設定した内容で記憶媒体にデータが記憶される。
【００６７】
ここで、記録媒体に記録されるデータについて、図１９から図２２により詳細に説明する。
【００６８】
図１９は、記録媒体に記録されるデータの構造で、一つの設定は、大項目＋中項目＋小項目の３バイトにより構成されている。
【００６９】
図２０は、大項目のデータマップ表で、設定項目が値として割り振られている。
【００７０】
図２１は、中項目のデータマップ表であり、図２１は撮影系の中項目の表である。中項目表は、設定項目毎に存在するが、ここでは省略する。
【００７１】
図２２は、小項目のデータマップ表であり、図２２は撮影モードの小項目の表である。小項目も中項目毎に存在するが、ここでは省略する。
【００７２】
例えば、図１９のデータが、「０ｘ０，０ｘ１，０ｘ４」ならば、この設定データは、撮影系の設定の撮影モードが、Ｍであることを示している。
【００７３】
もし、撮影系の撮影モードがカメラ設定データとして保存しない場合は、図１９でデータとして保存しないか、「０ｘ０，０ｘ１，０ｘ０」と保存するならば、可能となる。
【００７４】
次に、カメラ設定の読み込みを図２，８，１４〜１８で説明する。
【００７５】
図８で、ＳＥＬＥＣＴ釦を押しながらサブ電子ダイヤルを回転させるとセットアップ系の詳細設定内容（オートパワーオフ：日付／時刻：ＣＦカード初期化：ファームウェア：言語：カメラ設定の保存：カメラ設定の読み込み）を選択でき、「カメラ設定の読み込み」でＳＥＬＥＣＴ釦を離すと図１４の表示となる。
【００７６】
図１４は、カメラ設定の読み込みで記憶したカメラ設定データを読み込んだ後で、各設定毎に設定するか「分割設定」、記憶したカメラ設定データのすべてを一括で読み込んでカメラに設定する「一括設定」を選択する画面である。ここで、ＳＥＬＥＣＴ釦を押しながら、サブ電子ダイヤルを回転させると「一括設定」か「分割設定」を選択でき、「一括設定」でＳＥＬＥＣＴ釦を離すと図１５の画面に移行する。
【００７７】
図１５の「一括設定」の読み込み画面では、ＳＥＬＥＣＴ釦を押しながら、サブ電子ダイヤルを回転させると本当に一括設定するのか「ＯＫ」、「キャンセル」するのかを選択できる。「ＯＫ」を選択すると記録媒体に記憶してあるカメラ設定データがすべて読み出されて、カメラに全部セットされる。
【００７８】
図１４で、「分割設定」を選択すると図２の分割設定の画面に移行する。また、図２の画面では、記録媒体に記憶しているカメラ設定情報を表示する為、図１４からこの画面に移行するときには、記録媒体より記憶しているカメラ設定情報が読み込まれる。
【００７９】
ここで、図２の画面を詳細に説明する。
【００８０】
画面の中央付近（「セット」と「撮影モード」）に、ラインが横に引かれているが、これは、設定項目（撮影系の設定／再生系の設定／セットアップ系の設定／カスタム系の設定）＋「セット」と設定項目の詳細設定情報（詳細設定項目＋設定データ）とを区別するラインとなっている。
【００８１】
図２の様に、「撮影系の設定」が選択されている場合、詳細設定情報の表示は、撮影系の詳細設定項目（撮影モード／測光モード／ＡＦモード／撮影画像の確認／撮影画像の確認時間）とその設定項目に対する設定データ（例えば、Ｐ／評価測光／ＯＮＥＳＨＯＴ／入／２秒）が表示される。ここで、設定データの「評価測光」と「入」の色が違うのは、現在カメラに設定してある状態と違う状態であることを示している。こうすることで、現状のカメラの設定状態と違うデータが設定されることを使用者に判り易くしている。
【００８２】
図２の設定項目の横に、○で示されているのは、この設定項目をカメラにセットすることを示している。
【００８３】
「セット」は、カメラにカメラ設定情報をセットする項目であり、この項目を選択すると図の○で選択された項目や後述する詳細設定データに○で選択された詳細設定項目の設定データをカメラにセットする。
【００８４】
図２で、ＳＥＬＥＣＴ釦を押しながら、サブ電子ダイヤルを回転させると項目（撮影系の設定／再生系の設定／セットアップ系の設定／カスタム系の設定／セット）が選択できる。
【００８５】
「撮影系の設定」でＳＥＬＥＣＴ釦を離すと図１６の画面に移行する。
【００８６】
図１６では、「撮影系の設定」をカメラにセットするか「○」セットしないか「×」を選択することができ。これまでの操作と同様に、ＳＥＬＥＣＴ釦を押しながら、サブ電子ダイヤルの回転で選択して、ＳＥＬＥＣＴ釦を離すことで項目を選択する。
【００８７】
図２で、アシスト釦を押して離すと図１７へ移行する。但し、図２で、「撮影系の設定」がカメラにセットしない場合「×」は、この操作は受け付けない。（図１７へ移行できない）これは、図１７が詳細設定項目なので、この設定項目がセットされないならば、詳細設定項目もセットしないようにしている為である。これにより、設定項目というグループ別で、簡単にカメラにセットしないを選択できる。
【００８８】
図１７は、「撮影系の設定」の各設定データを夫々カメラにセットするかどうか選択する画面である。ここで、ＳＥＬＥＣＴ釦を押しながら、サブ電子ダイヤルを回転させると撮影系の詳細設定項目（撮影モード／測光モード／ＡＦモード／撮影画像の確認／撮影画像の確認時間）が選択でき、「撮影モード  Ｐ」でＳＥＬＥＣＴ釦を離すと図１８の画面に移行する。
【００８９】
図１８で、ＳＥＬＥＣＴ釦を押しながら、サブ電子ダイヤルを回転させると「撮影モード  Ｐ」（カメラの撮影モードが、プログラムを意味する）をカメラにセットするか「○」セットしないか「×」を選択でき、ＳＥＬＥＣＴ釦を離すことで確定する。
【００９０】
各設定項目の保存を上記操作で行った後で、図２において、セットを選択すると○で選択した設定内容がカメラにセットされる。
【００９１】
以上が、カメラ設定の保存と読み込みの実施例である。
【実施例２】
【００９２】
本発明の実施例２を図３〜８，図１９〜３４を使って、詳細に説明する。
【００９３】
図３は、カメラの概略構成ブロック図である。
【００９４】
図４及び、図５は、カメラの上面図と背面図である。
【００９５】
図６は、カメラの動作フローを表したフローチャートである。
【００９６】
図３〜６は、実施例１と同じ為、説明を省略する。
【００９７】
カメラ設定の保存と読み込みは、図６のＳ００４の設定モードで行われる。
【００９８】
カメラ設定の保存と読み込みを図７，８，１９〜２８で説明する。
【００９９】
ＭＥＮＵ釦が操作されると図７のように、ＴＦＴ表示部にカメラの設定表示が表示される。ここでは、図７の上側（ラインの上側で、撮影：再生：セットアップ：カスタム）が設定項目で、それより下側（ラインの下側）が項目の詳細設定内容となっています。図７では、項目として「撮影」が選択されていて、撮影系の詳細設定内容が、ラインより下側に表示されています。
【０１００】
ＭＥＮＵ釦を押しながら、サブ電子ダイヤルを回転すると設定項目を選択でき、「セットアップ」の箇所でＭＥＮＵ釦を離すと、図８のような表示となる。
【０１０１】
次に、ＳＥＬＥＣＴ釦を押しながらサブ電子ダイヤルを回転させるとセットアップ系の詳細設定内容（オートパワーオフ：日付／時刻：ＣＦカード初期化：ファームウェア：言語：カメラ設定の保存：カメラ設定の読み込み）を選択でき、「カメラ設定の保存」でＳＥＬＥＣＴ釦を離すと図２３の表示となる。
【０１０２】
図２３は、カメラ設定保存を各設定毎で保存するか「分割保存」、設定すべてを一括で保存するか「一括保存」を選択する画面である。ここで、ＳＥＬＥＣＴ釦を押しながら、サブ電子ダイヤルを回転させると「一括保存」か「分割保存」を選択でき、「一括保存」でＳＥＬＥＣＴ釦を離すと図２４の画面に移行する。
【０１０３】
図２４の「一括保存」の保存画面では、ＳＥＬＥＣＴ釦を押しながら、サブ電子ダイヤルを回転させると本当に一括設定保存するのか「ＯＫ」、「キャンセル」するのかを選択できる。「ＯＫ」を選択するとカメラの各設定値がすべて記録媒体に記録される。
【０１０４】
図２３で、「分割保存」を選択すると図２５の分割保存の画面に移行する。
【０１０５】
ここで、図２５の画面を詳細に説明する。
【０１０６】
画面の中央付近（「保存」と「撮影モード」）に、ラインが横に引かれているが、これは、設定項目（撮影系の設定／再生系の設定／セットアップ系の設定／カスタム系の設定）＋「保存」と設定項目の詳細設定情報（詳細設定項目＋設定データ）とを区別するラインとなっている。
【０１０７】
図２５の様に、「撮影系の設定」が選択されている場合、詳細設定情報の表示は、撮影系の詳細設定項目（撮影モード／測光モード／ＡＦモード／撮影画像の確認／撮影画像の確認時間）とその設定項目に対する設定データ（例えば、Ｐ／評価測光／ＯＮＥＳＨＯＴ／入／２秒）が表示される。
【０１０８】
図２５の設定項目の横に、○で示されているのは、この設定項目をカメラ設定として保存することを示している。
【０１０９】
「保存」は、カメラ設定の保存項目であり、この項目を選択すると図の○で選択された項目のカメラ設定データを記録媒体に保存する。
【０１１０】
図２５で、ＳＥＬＥＣＴ釦を押しながら、サブ電子ダイヤルを回転させると項目（撮影系の設定／再生系の設定／セットアップ系の設定／カスタム系の設定／保存）が選択できる。
【０１１１】
「撮影系の設定」でＳＥＬＥＣＴ釦を離すと図２６の画面に移行する。
【０１１２】
図２６では、「撮影系の設定」をカメラ設定として保存するか「○」カメラ設定として保存しないか「×」を選択することができ。これまでの操作と同様に、ＳＥＬＥＣＴ釦を押しながら、サブ電子ダイヤルの回転で選択して、ＳＥＬＥＣＴ釦を離すことで項目を選択する。
【０１１３】
また、どの設定画面でもそうだが、ＭＥＮＵ釦を押すことで、一つ前の画面に戻ることが可能である。
【０１１４】
図２５で、アシスト釦を押して離すと図２７へ移行する。但し、図２５で、「撮影系の設定」がカメラ設定として保存しない場合「×」は、この操作は受け付けない（図２７へ移行できない）。これは、図２７が詳細設定項目なので、この設定項目が保存されないならば、詳細設定項目も保存しないようにしている為である。これにより、設定項目というグループ別で、簡単にカメラ設定として保存しないを選択できる。
【０１１５】
図２７は、「撮影系の設定」の各設定データを夫々確認、及び変更できる画面である。ここで、ＳＥＬＥＣＴ釦を押しながら、サブ電子ダイヤルを回転させると撮影系の詳細設定項目（撮影モード／測光モード／ＡＦモード／撮影画像の確認／撮影画像の確認時間）が選択でき、「撮影モード  Ｐ」でＳＥＬＥＣＴ釦を離すと図２８の画面に移行する。
【０１１６】
図２８で、ＳＥＬＥＣＴ釦を押しながら、サブ電子ダイヤルを回転させると撮影モードの設定データ（Ｐ／Ｔｖ／Ａｖ／Ｍ／ＢＵＬＢ）を変更することができ、ＳＥＬＥＣＴ釦を離すことで確定する。
【０１１７】
各設定項目の保存を上記操作で行った後で、図２５において、「保存」を選択すると設定した内容で記憶媒体にデータが記憶される。
【０１１８】
ここで、記録媒体に記録されるデータについて、図１９から図２２により詳細に説明する。
【０１１９】
図１９は、記録媒体に記録されるデータの構造で、一つの設定は、大項目＋中項目＋小項目の３バイトにより構成されている。
【０１２０】
図２０は、大項目のデータマップ表で、設定項目が値として割り振られている。
【０１２１】
図２１は、中項目のデータマップ表であり、図２１は撮影系の中項目の表である。中項目表は、設定項目毎に存在するが、ここでは省略する。
【０１２２】
図２２は、小項目のデータマップ表であり、図２２は撮影モードの小項目の表である。小項目も中項目毎に存在するが、ここでは省略する。
【０１２３】
例えば、図１９のデータが、「０ｘ０，０ｘ１，０ｘ４」ならば、この設定データは、撮影系の設定の撮影モードが、Ｍであることを示している。
【０１２４】
もし、撮影系の撮影モードがカメラ設定データとして保存しない場合は、図１９でデータとして保存しないか、「０ｘ０，０ｘ１，０ｘ０」と保存するば、可能となる。
【０１２５】
次に、カメラ設定の読み込みを図８，２９〜３４で説明する。
【０１２６】
図８で、ＳＥＬＥＣＴ釦を押しながらサブ電子ダイヤルを回転させるとセットアップ系の詳細設定内容（オートパワーオフ：日付／時刻：ＣＦカード初期化：ファームウェア：言語：カメラ設定の保存：カメラ設定の読み込み）を選択でき、「カメラ設定の読み込み」でＳＥＬＥＣＴ釦を離すと図２９の表示となる。
【０１２７】
図２９は、カメラ設定の読み込みで記憶したカメラ設定データを読み込んだ後で、各設定毎に設定するか「分割設定」、記憶したカメラ設定データのすべてを一括で読み込んでカメラに設定する「一括設定」を選択する画面である。ここで、ＳＥＬＥＣＴ釦を押しながら、サブ電子ダイヤルを回転させると「一括設定」か「分割設定」を選択でき、「一括設定」でＳＥＬＥＣＴ釦を離すと図３０の画面に移行する。
【０１２８】
図３０の「一括設定」の読み込み画面では、ＳＥＬＥＣＴ釦を押しながら、サブ電子ダイヤルを回転させると本当に一括設定するのか「ＯＫ」、「キャンセル」するのかを選択できる。「ＯＫ」を選択すると記録媒体に記憶してあるカメラ設定データがすべて読み出されて、カメラに全部セットされる。
【０１２９】
図２９で、「分割設定」を選択すると図３１の分割設定の画面に移行する。また、図３１の画面では、記録媒体に記憶しているカメラ設定情報を表示する為、図２９からこの画面に移行するときには、記録媒体より記憶しているカメラ設定情報が読み込まれる。
【０１３０】
ここで、図３１の画面を詳細に説明する。
【０１３１】
画面の中央付近（「セット」と「撮影モード」）に、ラインが横に引かれているが、これは、設定項目（撮影系の設定／再生系の設定／セットアップ系の設定／カスタム系の設定）＋「セット」と設定項目の詳細設定情報（詳細設定項目＋設定データ）とを区別するラインとなっている。
【０１３２】
図３１の様に、「撮影系の設定」が選択されている場合、詳細設定情報の表示は、撮影系の詳細設定項目（撮影モード／測光モード／ＡＦモード／撮影画像の確認／撮影画像の確認時間）とその設定項目に対する設定データ（例えば、Ｐ／評価測光／ＯＮＥＳＨＯＴ／入／２秒）が表示される。ここで、設定データの「評価測光」と「入」の色が違うのは、現在カメラに設定してある状態と違う状態であることを示している。こうすることで、現状のカメラの設定状態と違うデータが設定されることを使用者に判り易くしている。
【０１３３】
図３１の設定項目の横に、○で示されているのは、この設定項目をカメラにセットすることを示している。
【０１３４】
「セット」は、カメラにカメラ設定情報をセットする項目であり、この項目を選択すると図の○で選択された項目の設定データをカメラにセットする。
【０１３５】
図３１で、ＳＥＬＥＣＴ釦を押しながら、サブ電子ダイヤルを回転させると項目（撮影系の設定／再生系の設定／セットアップ系の設定／カスタム系の設定／セット）が選択できる。
【０１３６】
「撮影系の設定」でＳＥＬＥＣＴ釦を離すと図３２の画面に移行する。
【０１３７】
図３２では、「撮影系の設定」をカメラにセットするか「○」セットしないか「×」を選択することができ。これまでの操作と同様に、ＳＥＬＥＣＴ釦を押しながら、サブ電子ダイヤルの回転で選択して、ＳＥＬＥＣＴ釦を離すことで項目を選択する。
【０１３８】
図３１で、アシスト釦を押して離すと図３３へ移行する。但し、図３１で、「撮影系の設定」がカメラにセットしない場合「×」は、この操作は受け付けない。（図３３へ移行できない）これは、図３３が詳細設定項目なので、この設定項目がセットされないならば、詳細設定項目もセットしないようにしている為である。これにより、設定項目というグループ別で、簡単にカメラにセットしないを選択できる。
【０１３９】
図３３は、「撮影系の設定」の各設定データを夫々カメラにセットするかどうか選択する画面である。ここで、ＳＥＬＥＣＴ釦を押しながら、サブ電子ダイヤルを回転させると撮影系の詳細設定項目（撮影モード／測光モード／ＡＦモード／撮影画像の確認／撮影画像の確認時間）が選択でき、「撮影モード  Ｐ」でＳＥＬＥＣＴ釦を離すと図３４の画面に移行する。
【０１４０】
図３４で、ＳＥＬＥＣＴ釦を押しながら、サブ電子ダイヤルを回転させると撮影モードの設定データ（Ｐ／Ｔｖ／Ａｖ／Ｍ／ＢＵＬＢ）を変更することができ、ＳＥＬＥＣＴ釦を離すことで確定する。
【０１４１】
各設定項目の保存を上記操作で行った後で、図３１において、セットを選択すると○で選択した設定内容がカメラにセットされる。
【０１４２】
以上が、カメラ設定の保存と読み込みの実施例２である。
【図面の簡単な説明】
【０１４３】
【図１】カメラ設定の保存時のＴＦＴ表示
【図２】カメラ設定の読み込み時のＴＦＴ表示
【図３】カメラの概略構成ブロック図
【図４】カメラの上面図
【図５】カメラの背面図
【図６】カメラの動作フローを表したフローチャート
【図７】カメラのＴＦＴ表示
【図８】カメラのＴＦＴ表示
【図９】カメラのＴＦＴ表示
【図１０】カメラのＴＦＴ表示
【図１１】カメラのＴＦＴ表示
【図１２】カメラのＴＦＴ表示
【図１３】カメラのＴＦＴ表示
【図１４】カメラのＴＦＴ表示
【図１５】カメラのＴＦＴ表示
【図１６】カメラのＴＦＴ表示
【図１７】カメラのＴＦＴ表示
【図１８】カメラのＴＦＴ表示
【図１９】記録媒体に記録されるカメラ設定データ構成図と表
【図２０】記録媒体に記録されるカメラ設定データ構成図と表
【図２１】記録媒体に記録されるカメラ設定データ構成図と表
【図２２】記録媒体に記録されるカメラ設定データ構成図と表
【図２３】カメラのＴＦＴ表示
【図２４】カメラのＴＦＴ表示
【図２５】カメラのＴＦＴ表示
【図２６】カメラのＴＦＴ表示
【図２７】カメラのＴＦＴ表示
【図２８】カメラのＴＦＴ表示
【図２９】カメラのＴＦＴ表示
【図３０】カメラのＴＦＴ表示
【図３１】カメラのＴＦＴ表示
【図３２】カメラのＴＦＴ表示
【図３３】カメラのＴＦＴ表示
【図３４】カメラのＴＦＴ表示
【符号の説明】
【０１４４】
１  システム制御部
２  撮像部
３  撮像部制御回路
４  バッファメモリ１
５  画像処理部
６  メモリ制御部
７  バッファメモリ２
８  Ｉ／Ｆ
９  ハードディスク
１０  モータ制御回路
１１  シャッター制御回路
１２  測光回路
１３  焦点検出回路
１４  液晶表示部
１５  画像表示部
１６  操作部
１７  レンズ制御回路
【図１】
2006033344.tif 000003
【図２】
2006033344.tif 000004
【図３】
2006033344.tif 000005
【図４】
2006033344.tif 000006
【図５】
2006033344.tif 000007
【図６】
2006033344.tif 000008
【図７】
2006033344.tif 000009
【図８】
2006033344.tif 000010
【図９】
2006033344.tif 000011
【図１０】
2006033344.tif 000012
【図１１】
2006033344.tif 000013
【図１２】
2006033344.tif 000014
【図１３】
2006033344.tif 000015
【図１４】
2006033344.tif 000016
【図１５】
2006033344.tif 000017
【図１６】
2006033344.tif 000018
【図１７】
2006033344.tif 000019
【図１８】
2006033344.tif 000020
【図１９】
2006033344.tif 000021
【図２０】
2006033344.tif 000022
【図２１】
2006033344.tif 000023
【図２２】
2006033344.tif 000024
【図２３】
2006033344.tif 000025
【図２４】
2006033344.tif 000026
【図２５】
2006033344.tif 000027
【図２６】
2006033344.tif 000028
【図２７】
2006033344.tif 000029
【図２８】
2006033344.tif 000030
【図２９】
2006033344.tif 000031
【図３０】
2006033344.tif 000032
【図３１】
2006033344.tif 000033
【図３２】
2006033344.tif 000034
【図３３】
2006033344.tif 000035
【図３４】
2006033344.tif 000036